(57)【特許請求の範囲】
【請求項１】
リセット可能な自動注射装置のためのトリガー機構であって、
前記トリガー機構は、
立ち上がり位置および発射位置の間で旋回軸Ｐの周りで旋回するように構成されるボタンと、
前記ボタンに係合され、前記立ち上がり位置において前記ボタンを付勢するための捩じり力を発生する第１の付勢部材とを備え、
前記ボタンは、
長手方向の軸Ｌを有する細長ボディを備え、軸Ｐは、前記ボディを遠位部および近位部に分割するものであり、
前記ボタンはさらに、
前記近位部の上部分上の指表面、および、前記近位部の前記上部分から下方に突出する支持面と、
各々が軸Ｐに沿って外方に突出し、ボタンが軸Ｐの周りで発射位置から立ち上がり位置に旋回することを許容するように、ハウジングと回転可能に係合するように構成される２つの軸スタッドと、
前記ボタンが前記立ち上がり位置にある時に、プランジャーロッドドライバーと係合するように構成される、前記遠位部上の２つの当接アームと、
前記当接アームの間に位置し、前記遠位部の上面から下方に突出する支持面を有し、前記ボタンが前記立ち上がり位置にある時に、プランジャードライバーの軸方向の移動を防ぐように構成されるキャッチと、
前記遠位部上において前記軸スタッドの一方と隣り合い、前記ボタンが前記立ち上がり位置に向けて付勢されるように、前記第１の付勢部材の一方のアームと係合するように構成されるスロットとを備え、前記トリガー機構はさらに、
ブロック位置から解放位置に軸方向にスライドするように構成されるボタンブロッカーを備え、前記ブロック位置は、前記ボタンが前記立ち上がり位置から前記発射位置に移動することを防ぎ、前記解放位置は、前記ボタンが前記立ち上がり位置から前記発射位置に移動することを許容し、
前記トリガー機構はさらに、
前記ボタンブロッカーを前記ブロック位置に付勢するように、前記ボタンブロッカーと
係合する第２の付勢部材と、
前記ボタンが前記立ち上がり位置にある時に、前記ボタンの遠位部上のキャッチに解放可能に係合される、軸方向に付勢されるプランジャーロッドドライバーとを備え、
前記プランジャードライバーの外面は１つまたは２つの凹部を含み、前記１つまたは２つの凹部は、前記ボタンが前記発射位置から前記立ち上がり位置に移動した時に前記当接アームを受け入れるように構成され、各々の前記凹部は、前記ボタンが軸Ｐの周りで旋回することを引き起こすように傾斜ないし傾いた表面を備えて構成されており、
前記トリガー機構がリセット可能である、トリガー機構。
【請求項２】
前記ボタンが、前記立ち上がり位置にあり、前記ボタンブロッカーが、ブロック位置にある時に、前記近位部の上部分から下方に突出する前記支持面は、前記ボタンブロッカーと係合する、請求項１に記載のトリガー機構。
【請求項３】
前記ボタンが、前記立ち上がり位置にあり、前記ボタンブロッカーが、前記解放位置に移動された時に、前記近位部の上部分から下方に突出する前記支持面は、前記ボタンブロッカーから非係合となる、請求項１に記載のトリガー機構。
【発明の詳細な説明】
【技術分野】
【０００１】
開示の分野
本発明は、自動注射器のためのトリガー機構に関し、特に、再使用可能でリセット可能な自動注射装置のためのリセット可能なトリガー機構に関する。
【背景技術】
【０００２】
背景
シリンジなどの、容器サブアセンブリが装填され得る再使用可能な自動注射器は、従来技術において知られている。たとえば、Ｕ.Ｓ.Ｐａｔ.Ｎｏ.５,５９９,３０９は、シリンジのプランジャーの後端を受ける駆動部材と、薬剤が注入され得るように、駆動部材を解放するためのトリガーとを備える権利者のシリンジを伴った使用のための自動注射器を開示する。従来知られた装置に付随する欠点は、一度トリガーが起こされると、自動注射器が注射部位に対して置かれる前に、ユーザが偶発的にトリガーを押し、装置を発射することを防ぐ安全上の機構がないことである。
【発明の概要】
【発明が解決しようとする課題】
【０００３】
したがって、本発明の目的は、一度注射器が注射部位に対して押された場合に発射され得るだけの再使用可能な自動注射器のための、リセット可能なトリガーおよび機構を提供することである。もう１つの目的は、針が全ての時点でユーザに視認されることがなく、簡単に再装填し、リセットすることが可能な注射装置を提供することである。これらの目的および他の目的は、以下に開示され、クレームによって規定されるように、再使用可能な自動注射器、および、関連するトリガー機構によって達成される。自動注射器を作動させ、発射させる方法もまた、提示される。
【課題を解決するための手段】
【０００４】
このため、本発明の１つの局面に従えば、自動注射装置のための提供されるトリガーがある。トリガーは、長手方向の軸Ｌと、旋回軸Ｐとを有する細長ボディを備える。軸Ｐは、Ｌ軸に略直交し、トリガーのボディを遠位部および近位部に分割する。好ましくは、これら２つの部分は、長さにおいて略等しい。近位部の上部分は、ユーザーの指によって、装置の外側ハウジング内に下方に（内部に）押されるように構成され、自動注射器が、注入を開始するため発射されるように意図される時に、トリガーがＰ軸の周りで旋回することを引き起こす指表面を含む。支持面は、近位部の上部分から下方に突出し、注射装置が注射部位に対して押される前に、ボタンが偶発的に押されることを防ぐ安全上の構成を形成するボタンブロッカーと係合するように構成されている。また、ボタンは、各々が細長ボディから軸Ｐに沿って外方に突出する２つの軸スタッドを有する。これらの軸スタッドは、スタッドが外側ハウジングの内面に旋回可能に係合されるが、ハウジングに対して軸方向に固定されるように、後端（近位端）ハウジング部分の内側でソケット内に適合するように構成されている。ハウジングソケットに対する軸スタッドの係合は、トリガーが、立ち上がり位置から発射位置に移動し、再び、発射位置から立ち上がり位置に移動する時、トリガーが軸Ｐの周りで旋回することを許容する。トリガーが立ち上がり位置にある時、トリガーは、それが、外側ハウジングの外面に対して角度を持ったプロファイルを有して、上方に延びるように、リアハウジング部材の外側ハウジングの外側に突出する。
【０００５】
トリガーは、トリガーの遠位部に、トリガーが立ち上がり位置に移動された時に、プランジャーロッドドライバー上に位置する凹部と係合するように構成される、少なくとも１つの当接アームを有する。また、トリガーは、遠位部上に、再使用可能な自動注射器の駆動機構のリセットの間、プランジャーロッドドライバーが手動で近位に移動される時に、プランジャーロッドドライバーと係合するように構成されるキャッチを有する。付勢力によって遠位に前方に駆動されてから、キャッチがプランジャーロッドドライバーに係合され、プランジャーロッドドライバーを保持する時、トリガーは、立ち上がり位置にある。また、トリガーの遠位部は、軸スタッドの一方と隣り合い、トリガーが常時、立ち上がり位置に向けて付勢されるように、付勢部材の一方のアームと係合するように構成されるスロットを有する。付勢部材の他方のアームは、ハウジングの内側と当接し、係合する。好ましくは、付勢部材は、トーションばねであり、その２つのアームは、互いに反対方向に付勢され、離れている。トーションばねは、スロットに、トリガーを軸スタッドの周りで旋回させ、トリガーの近位部を上方に促す、下方の力を作用させる。トーションばねは、好ましくは、ばねのための支持面を提供し、注射器ハウジングに対して軸方向の移動を防ぐために、軸スタッドの一方に搭載されている。言及されているように、軸Ｐは、遠位部の長手方向の長さが、近位部の長手方向の長さと略等しくなるように、細長ボディを略等しい半分部分に分割する。
【０００６】
上記に記載されるトリガーは、上記に記載されるように、立ち上がり位置および発射位置の間で旋回軸Ｐの周りで旋回するように構成されるボタンまたはトリガーを備えるトリガー機構の一部である。また、機構は、ブロック位置から解放位置に軸方向にスライドするように構成されるボタンブロッカーを含む。ブロック位置は、ボタンが立ち上がり位置から発射位置に移動することを防ぐ。ボタンブロッカーが、近位方向に軸方向に解放位置に移動された時、これは、ボタンが立ち上がり位置から発射位置に移動することを許容する。ボタンブロッカーがブロックされた軸方向の位置にある時、ボタンの近位部の下面上の支持面は、ボタンブロッカーの近位の外面上の外側支持面と係合し、ボタンが立ち上がり位置から発射位置に旋回することを防ぐ。
【０００７】
ボタンブロッカーは、反対方向の作動力が第２の付勢部材の軸方向の付勢力に打ち勝ち、ボタンブロッカーが近位方向に移動することを引き起こすまで、ボタンブロッカーをブロック位置に維持するように、第２の付勢部材、好ましくは圧縮ばねによって、遠位方向に付勢される。この反対方向の作動力は、以下に説明するように、注射器が注射部位に対して置かれ、フロントハウジング部材に位置する針覆い体スリーブが、近位方向に軸方向に押された時に生じる。
【０００８】
ボタンまたはトリガーの近位部の指表面は、本質的に、近位部の上部分の全体を備える。別の言い方をすれば、指表面は、注射器ハウジングの露出した外面であるボタンの上部分だけである。立ち上がり位置において、指表面は、角度を持った位置でハウジングの上方に延び、Ｐ軸の近くに最も低い高さを有し、近位部の最も近位の端部に最大の高さを有する。この角度は、好ましくは、４５°以下であり、最も好ましくは、およそ３０°から約４５°の範囲である。
【０００９】
また、トリガー機構は、ボタン（トリガー）の遠位部に位置する、下方に突出するキャッチによって係合されるプランジャーロッドドライバーを備える。キャッチは、好ましくは、２つの当接アームの間に位置し、ボタンの遠位部から遠位に延びている。キャッチは、下方に、内部に、または、半径方向に、プランジャーロッドドライバーおよび注射器の中心線に向けて突出する。キャッチの好ましい形状は、プランジャーロッドドライバーの外面における切り欠きと係合する支持面を有するナイフエッジに似たものである。この係合は、プランジャーロッドドライバーの軸方向の移動を防ぐ軸方向のストッパーとして作動する。指表面が下方に、または、半径方向に、注射器の中心線に向けて押されて、ボタンが軸スタッドの周りで旋回すると、ボタンの遠位部が、注射器の中心線から、上方に、または、半径方向に外側に旋回する。遠位部が上方に移動すると、キャッチは、プランジャーロッドドライバーにおける切り欠きから非係合となり、もはやプランジャーロッドドライバーが、前方に、軸方向において遠位方向に移動することを防ぐ軸方向のストッパーとして作動しない。プランジャーロッドドライバーには、第３の付勢部材、好ましくは圧縮されたヘリカルコイルばねからの付勢力が作用しており、それを軸方向において前方に促がすため、キャッチの非係合（すなわち、軸方向のストッパーの除去）は、付勢部材がそれを遠位に押した時にプランジャーロッドドライバーが前方にスライドすることを自由にする。
【００１０】
プランジャーロッドドライバーの外面上の切り欠きは、プランジャーロッドドライバースリーブの遠位端に位置する。また、外面は、トリガーが発射位置から立ち上がり位置に移動（旋回）された時に、当接アームを受け入れるように構成される１つまたは２つの凹部を含む。トリガー機構が発射され、プランジャーロッドドライバーが遠位に前方に移動した後、プランジャーロッドドライバーの遠位端が遠位に移動するのに従って、凹部は、当接アームとの係合の外側に移動する。好ましくは、プランジャーロッドドライバーが遠位に移動するのに従って、当接アームが中心線から半径方向に外方に移動するように押し出され、ボタンがＰ軸の周りで旋回することを引き起こすように、各凹部は、傾斜した、または、傾いた表面を備えて構成されている。一度凹部が、当接アームを通り過ぎて遠位に移動すると、プランジャーロッドドライバーの外面は、当接アームと係合し、ボタンの遠位部が下方に旋回し、指表面が注射器の外側ハウジングの外面に対して角度を持って上方に持ち上げられることを防ぐ支持面として作動するであろう。この発射位置において、ボタンの近位部の指表面は、本質的に、外側ハウジングに平行であり、角度は、本質的にゼロである。いくつかのケースにおいて、指表面を注射器ハウジングの外面と同一平面にすることは好ましい。ボタンが発射位置にある時、ユーザには、注射器が立ち上げらておらず、注射器が成功裏に発射されたことの、視覚的および触覚的の両方のシグナルが提供される。さらに、上記に記載されるように、ボタンが立ち上がり位置にあり、角度を持って注射器ハウジングの外側に突出する時、ユーザには、注射器が、立ち上がり状態にあり、一度針覆い体が注射部位に対して押されると発射され得ることの、視覚的および触覚的の両方のしるしが提示される。
【００１１】
また、リセット可能な自動注射器を作動させ、発射させる方法が提示される。そのステップは、まず、リアハウジング部材から自動注射器のフロントハウジング部材を分離する工程を含む。フロントハウジング部材は、薬剤の容器、好ましくは、適当な位置に付属された針および針シールドが設けられた充填済みのシリンジを保持する。リアハウジング部材は、注射針を注射部位に挿入するようにシリンジを遠位に移動させ、そのあと、薬剤を注入するためにシリンジプランジャーおよびピストンを遠位に押すように、シリンジおよびシリンジプランジャーに作用する発射または駆動機構を含む。フロントハウジング部材が、リアハウジング部材から分離される時、新しい充填済みのシリンジが、使用済みの（空の）シリンジと置き換えるために挿入され得る。
【００１２】
針シールド取り除き機は、注射の異なる深さを設定するための針覆い体の調整もまた許容するように構成されるリセットツールとして使用され得る。針シールド取り除き機が関連したリセットツールとして使用される時、針シールド取り除き機は、リアハウジング部材における発射または駆動機構をリセットするために使用される。針シールド取り除き機は、プランジャーロッドドライバーと係合し、プランジャーロッドドライバーを、その最も遠位位置から、下方に突出するボタン上のキャッチがプランジャーロッドドライバーの遠位端の外面上の切り欠きに留まる立ち上がり位置に、近位に押し、軸方向のストッパーを作り出すように、リアハウジングに挿入され、近位に押される。プランジャーロッドドライバーに対して遠位方向における軸方向の付勢力を作用させる第３の付勢部材に打ち勝つため、十分な力が、針シールド取り除き機を近位に押す際に用いられなければならない。プランジャーロッドドライバーが近位に移動されると、ボタン上の当接アームが、プランジャーロッドドライバーの外面上の傾斜の付いた凹部内に移動し、付勢されたトリガーまたはボタンの近位部分が、上方に旋回し、指表面をハウジングの外面上の角度を持った位置に露出させることを許容する。一度キャッチがプランジャーロッドドライバーと係合すると、ボタンは、立ち上がり位置となる。
【００１３】
針シールド取り除き機またはリセットツールは、そのあと、リアハウジング部材およびフロントハウジング部材から取り除かれ、インストールする充填済みのシリンジを備えて、確実な方法で２つのハウジング部材を保持する、ねじ、スナップフィット、プレスフィット、バヨネット、ルアーロック、デテントまたは類似の接続を通じて、リアハウジング部材に再び接続される。針シールド取り除き機は、そのとき、シリンジの遠位端に取り付けられた注射針から針シールドを取り除くために使用される。自動注射器は、今、立ち上がり状態にあり、使用の準備が整っている。トリガー機構は、立ち上がり位置にあるが、ボタンブロッカーがその外面がトリガーの近位部の下部上の支持面に係合されるブロック位置にあるため、トリガーは、発射され得ない。トリガー支持面の、ボタンブロッカー上の類似する支持面とのこの係合は、針覆い体が注射部位に対して押される前に、トリガーが下方に押されて、Ｐ軸の周りで旋回し、このため、自動注射器を発射することを防ぐ安全上の構成として作動する。
【００１４】
充填済みの容器またはシリンジに含まれる薬剤を注入するように、自動注射器を発射するため、ユーザは、ボタンブロッカーを軸方向に押し、第２の付勢部材によって作用される遠位の付勢力に打ち勝ちながら、針覆い体が近位に移動するように、注射部位に対して針覆い体を押さなければならない。ボタンブロッカーのこの近位の移動は、第２の付勢部材を圧縮し、ボタンブロッカーを、ボタンの近位部における支持面との係合の外側に移動させる。トリガーは、今、遮るものがなく、Ｐ軸の周りにおける旋回運動において下方に移動することが自由である。第１の付勢部材は、トリガーの遠位部上において捩じりの下方の力を作用させ、このため、近位部および指表面を、自動注射器の外側ハウジングに対して角度を有する位置において上方に付勢する。ユーザーは、今、捩じりの上方の力に打ち勝つように、指表面に反対方向の下方の力を適用し、子供のシーソーが動作するのと同じように、トリガーの近位部分が、注射器の中心線に向けて下方に旋回し、回転し、次に、トリガーの遠位部が上方に移動することを引き起こす。遠位部が上方に移動すると、キャッチおよび当接アームがプランジャーロッドドライバーから非係合となる。それから、第３の付勢部材は、注射を完了させるため、プランジャーロッドドライバーが遠位に前方にスライドし、シリンジを前方に押すことを引き起こす。フロントハウジング部材の遠位端において針覆い体を設けることによって、針は、ユーザの視界の外側にあり続け、これによって、針恐怖症に悩まされるユーザの不安を和らげる。
【００１５】
本発明に従った薬剤注射装置の特定の実施形態において、針シールド取り除き機および針覆い体は、針覆い体前部に対する針シールド取り除き機の回転が防がれる一方、針覆い体前部に対する針シールド取り除き機の軸方向の移動が許容されるように、互いに接続するように配置される。この配置は、ユーザが、針シールド取り除き機を回転させつつ、フロントハウジングを保持することにより、ねじ接続によって針覆い体ボディに接続される針覆い体の前部の軸方向における位置を調節するため、針シールド取り除き機を使用することを許容する。針覆い体ボディは、近位端位置および遠位端位置の間のフロントハウジング部材内で、軸方向に移動可能なように構成され得る。シリンジガイドは、充填済みのシリンジのような、薬剤の交換可能な容器を受けるため、針覆い体ボディの内部に配置される。シリンジガイドは、フロントハウジング部材に対して、近位端位置および遠位端位置の間で軸方向に移動可能である。シリンジガイドの遠位端表面は、針シールド取り除き機のための最も大きい挿入深さを規定する。シリンジガイドの遠位端表面は、針シールド取り除き機の最も大きい挿入深さを規定し、フロントハウジング部材がリアハウジング部材内の駆動機構を再配置するために使用され得るように、当たりとして作動する。
【００１６】
注射針の貫通深さは、針シールド取り除き機を用いて、針覆い体前部の位置を調節することによって調節され得る。針覆い体ボディに対する針覆い体前部のねじ接続は、調節可能な貫通深さを提供するための好ましい構造である。また、針覆い体前部は、ユーザに針貫通深さを示す視認可能なしるしを有することができる。しるしは、フロントハウジングにおける窓または開口において、現在設定されている貫通深さを明瞭に指し示す、視認可能な数字の形式であり得る。
【００１７】
針シールド取り除き機は、注射針の針シールドを把持するように配置される、１つまたはそれ以上の柔軟なフックを有することができる。針シールド取り除き機が、針覆い体前部を通じてフロントハウジングの遠位端に挿入された時に、柔軟なフックが針シールドの外面上にそれるであろう。そして、柔軟なフックが針シールドの近位端を通るとすぐに、それは、より小さく付勢される位置に曲がって戻り、好ましくは、フロックまたはとげのある要素が設けられたフックは、確実に針シールドを把持するであろう。針シールド取り除き機が、フロントハウジングの外側に引っ張られた時に、針シールドが注射針から引っ張られるであろう。
【００１８】
これらのほか、本発明のトリガー機構の種々の局面の他の利点、および、それらを達成する方法は、続く詳細な説明を読み、添付する図面を適切に参照することによって、その技術における一般的な技能の人に明らかになるであろう。
【００１９】
図面の簡潔な説明
本発明は、今、付加される図面の参照とともに、より詳細に説明されるであろう。
【図面の簡単な説明】
【００２０】
【図１ａ】分解された状態における、本発明に従った薬剤発射装置の実施形態の概略斜視図である。
【図１ｂ】組み立てられた状態における、本発明に従った薬剤発射装置の実施形態の概略斜視図である。
【図２】本発明に従ったトリガーおよび第１の付勢部材の斜視図である。
【図３】本発明に従ったリアハウジング部材の外側ハウジングの一方の半分部分の斜視側面図である。
【図４】外側ハウジングが取り除かれたリアハウジング部材の実施形態の斜視図である。
【図５ａ】トリガーが立ち上がり位置にあり、ボタンブロッカーがブロック位置にあり、外側ハウジングが取り除かれた半分部分を備えるリアハウジング部材の実施形態の斜視断面図である。
【図５ｂ】トリガーが立ち上がり位置にあり、ボタンブロッカーが解放位置にあり、外側ハウジングが取り除かれた半分部分を備えるリアハウジング部材の実施形態の斜視断面図である。
【図５ｃ】トリガーが解放位置にあり、ボタンブロッカーが解放位置にあり、外側ハウジングが取り除かれた半分部分を備えるリアハウジング部材の実施形態の斜視断面図である。
【図６】本発明に従った、リセットツールを含むフロントハウジング部材を備えるリアハウジング部材のリセット配置の斜視側面図である。
【発明を実施するための形態】
【００２１】
詳細な説明
ここで使用される用語「容器」は、注射可能な液組成に適した容器の全てのタイプを含む。「遠位の」と「近位の」という用語に関して、それらは、それぞれ、注射部位により近い位置と、注射部位からさらに遠い位置とを参照する。このため、たとえば、ここに記載された再使用可能な自動注射装置の針覆い体は、注射器の遠位端に位置し、トリガーは、近位端に位置する。
【００２２】
１つの実施形態において、本発明に従った再使用可能な自動注射装置１００は、図１ａおよび図１ｂに示されるように、たとえば、熱可塑性物質から形成されるリアハウジング部材１０１と、フロントハウジング部材１０２と、シリンジなどの、交換可能な容器サブアセンブリ１０３とを備える。リアハウジング部材１０１は、半分部分の一方に設けられたピンまたは突起、および、他方の半分部分における対応する開口といった手段によって互いに固定されている、外側ハウジング１２０の２つの半分部分から構成され得る。明らかに、他の方法は、突出部および溝といった方法、スナップキャッチ要素、または、溶接や接着による永久的な固定としてさえ考えられる。
【００２３】
リアおよびフロントハウジング部材１０１，１０２は、単一の装置とするため、たとえば、ねじ込み式のカップリング、または、２つのハウジング部材を固定する何か他のコネクターによって、互いに接続可能である。好ましくは、フロントおよびリアハウジング部材１０１，１０２は、ハウジング部材１０１，１０２を９０°相対的に捩じることによって、接続および非接続とされ得る。交換可能な容器サブアセンブリ１０３は、注射針（不図示）、薬剤容器１５、ピストン１４、プランジャーまたはピストンロッド１３、および、注射針を完全に覆い、ユーザを注射針から保護するように配置される針シールド１１を備えてもよい。明らかに、容器サブアセンブリ１０３がプランジャーロッド１３を欠くこと、および、リアハウジング部材が、再使用可能でリセット可能なピストンロッドを含むこともまた、考えられる。
【００２４】
図２は、本発明のトリガーまたはボタン３の１つの実施形態を図示する。参照軸ＰおよびＬは、互いに直交し、Ｐ軸は、長手方向の軸Ｌから直角に外方に突出する軸スタッド６を通り抜ける旋回線を規定する。２つの軸スタッドは、リアハウジング部材１０１の外側ハウジング１２０の各半分部分の内面上に位置するソケットに適合するように構成されている。図３は、外側ハウジング１２０の一方の半分部分、および、内面１２２上のソケット１２１を図示する。同様のソケットが、外側ハウジングの他方の半分部分に見られる。２つの半分部分は、一緒に接続された時に、リアハウジング部材１０１の外側ハウジングを形成する。ソケットおよび軸スタッドは、軸スタッドが、ソケット内で自由に回転するが、外側ハウジング１２０に対して軸方向に固定されるように構成されている。外側ハウジング１２０は、近位端１２３と、注射器が使用のため組み立てられる時にフロントハウジング部材１０２を受け入れる遠位端１２４とを有する。
【００２５】
トリガー３は、近位部３２および遠位部３０を有し、各々は、Ｐ軸によって近似的に規定される中間点に対して、近似的に、同じ長手方向の長さである。トリガー３の遠位端には、２つの当接アーム５が示され、当接アーム５には、アームの間に位置し、注射装置の中心線に向けて下方に突出するキャッチ３４が設けられている（図５ａを参照）。キャッチ３４は、プランジャーロッドドライバー１の遠位端において切り欠きと係合する軸方向のストッパーとして作動するように構成される、下方に突出する支持面３５を有する。また、遠位部３０は、トーションばねとして示される付勢部材７のアーム９を受け入れるように構成されるスロット３３を有する。バネ７の他方アーム８は、外側ハウジング１２０の上部内面１２５に当接している（図３を参照）。スロット３３は、アーム８，９が互いに反対方向に付勢され、離れるように構成されている。内側ハウジング面１２５は固定されているため、アーム８は、固定され、移動することを防止されている。これは、アーム９が遠位部３０のスロットに下方への付勢力を作用させることを引き起こす。軸スタッド６は、ソケット１２１において軸方向に固定されているため、この付勢力は、遠位部３０が軸スタッド６の周りで旋回することを促す。もし、遠位部３０が下方に回転することを許容されている場合には、これは、近位部３２が中心線Ｃから離れるように上方に旋回することを引き起こすであろう。以下でより詳細に説明するように、もし、遠位部３０の旋回を阻む構造が存在しない場合には、そのときトリガーは、近位部が角度Ａで外側ハウジング１２０の外面から外方に突出する立ち上がり位置を呈するであろう（図５ａを参照）。
【００２６】
近位部３２の上面は、近位部３２の全上部をほぼ含む指表面４を規定する。近位部３２の底面は、以下により詳細に説明するように、ボタンブロッカー２６上の類似する支持面４２と係合するように構成されている支持面３１である。図４は、リアハウジング部材１０１に含められる駆動機構を示しており、そのリアハウジング部材１０１では、外側ハウジング１２０の両方の半分部分が取り除かれ、立ち上がり位置におけるトリガー機構が設けられている。トリガー３の近位部３２の支持面３１は、ボタンブロッカー２６の近位端の外面上に位置する類似する支持面４２に当接し、係合されている。このトリガー３およびボタンブロッカー２６の係合は、注射器が注射部位に対して置かれる前に、トリガー機構が立ち上がり位置から解放位置に移動することを防ぐ安全上の構成である。２つの支持面３１および４２は、トリガー３の近位部３２が下方に旋回して、遠位部３０がプランジャーロッドドライバー１からキャッチ３４を解放する上下動作において上方に移動することを引き起こすことを防ぐ旋回ストッパーとして作動する。ボタンブロッカー２６は、圧縮ばねとして示される第２の付勢部材４３によって、ブロック位置において遠位に促される。立ち上がり位置において、当接アームは、プランジャーロッドドライバー１の凹部４０に位置決めされている。これらの凹部は、トリガー３の遠位部３０が図４中に示される立ち上がり位置を実現するように下方に旋回することを許容する。プランジャーロッドドライバー１は、示されるように、フロントハウジング部材１０２に位置するシリンジ１５のピストンロッド１３に係合される。
【００２７】
図５ａ〜図５ｃは、３つの可能な位置におけるトリガー機構を図示する。図５ａは、トリガー３が立ち上げられる位置であるが、ボタンブロッカー２６が、付勢面４２および３１が互いに接触し、トリガー３の近位部３２の下方への回転（旋回）を防ぐブロック位置にあるため、発射され得ない。立ち上がり位置において、トリガー３は、好ましくは、約３０°から４５°の範囲である角度Ａだけ、外側ハウジング１２０上に持ち上げられている。ばね４３は、付勢面４２，３１を接触状態に維持し、このため、トリガー機構が、早まって、すなわち、針覆い体１６が注射部位に対して押圧される前に、発射され得ない安全上の構成を提供するために、ボタンブロッカー２６に遠位の付勢力を作用させる。この立ち上げられたボタン３は、トリガー機構が立ち上がり位置にあり、注射を実行する準備ができていることのユーザへの視覚上および触覚上の両方のシグナルを提供する。加えて、外側ハウジング１２０は、ユーザが、それが立ち上がりまたは装填位置にあることを指し示すプランジャーロッドドライバー１上のしるし（色、数字など）を見ることを許容する窓１７を含むことができる。状態窓１７は、好ましくは、透明または少なくとも半透明のプラスチック材料から形成されている。発射、すなわち注射を実行した後、プランジャーロッドドライバーは、その最も遠位の位置に移動し（スライドし）、そのとき窓は、注射が完了したことを指し示すしるしをあらわにするであろう。
【００２８】
図５ｂは、針覆い体（不図示）が注射部位に対して押されて、ボタンブロッカーが圧縮ばね４３を近位に移動（スライド）させる時のトリガー機構を図示する。この近位の移動は、支持面３１および４２を非係合とし、このため、トリガーの近位部が軸スタッド６および軸Ｐの周りで下方に旋回することを防ぐ旋回ストッパー（すなわち、安全上の構成）を取り去る。図５ｃは、ユーザが指表面４を押して、ボタン３が軸ＬおよびＣの間の角度Ａをほぼ０°まで減少させるように軸Ｐの周りで旋回することを引き起こす、その第３のまたは発射位置におけるトリガー機構を図示する。ボタン３は、今本質的には、外側ハウジング面１２０と同一平面である。トリガー３の近位部が下方に旋回すると、遠位部は、上方に旋回し、プランジャーロッドドライバー１の遠位部において、キャッチ３４を切り欠き５０から非係合とし、ヘリカルコイルばねとして示される第３の付勢部材２の付勢力によって、それが遠位に移動する（スライドする）ことを自由にする。ばね２が伸びるにつれて、それは、プランジャーロッドドライバー１を、それが予め決定された停止に達するまで、遠位に押す。シリンジ１５の前方へのこの動作は、注射針が、注射部位において組織を貫くように針覆い体の遠位端の外側に遠位に移動することを引き起こす。プランジャーロッドドライバーは、プランジャロッド１３を遠位に駆動し、前方に移動し続け、薬剤を、注射針を通じて、貫かれた組織内に放出するように、シリンジバレル内でピストン１４を順に移動させる。
【００２９】
トリガー機構が発射されたとき、図５ｃに示されるように、凹部４０の角度をなす表面が、それらが今、プランジャロッドドライバー１の外面５１に係合されるように、トリガーの遠位端を上方に押すため、当接アーム５は、凹部４０が設けられた係合部の外側に移動する。この位置において、当接アームは、トリガー３が図５ａに示される角度をなし、持ち上げられた立ち上がり位置に戻ることを防ぐであろう。リアハウジング部材１０１の駆動機構をリセットするために、注射器は、まず、フロントハウジング部材１０２からリアハウジング部材１０１を取り外すことによって、分解されなければならない。一度分解されると、針シールド取り除き機１０９のようなリセットツールが、リアハウジング部材１０１の遠位端１２４に挿入され、プランジャロッドドライバー１を近位方向に押すために使用される。１つの好ましい方法が図６に図示されており、フロントハウジング部材１０２の遠位端に挿入された針シールド取り除き機１０９が、プランジャーロッドドライバー１を近位方向に押すように、針シールド取り除き機１０９の遠位端をリアハウジング部材１０１の遠位端１０８に挿入するために使用される。
【００３０】
プランジャーロッドドライバーが近位に押されると、当接アーム５が、トリガー３の遠位部３０にトーションばね７によって作用された下方への旋回付勢力によって、傾斜がついた凹部４０内に移動するであろう。プランジャーロッドドライバーが、針シールド取り除き機１０９またはリセットツールのようなものの行為によって、近位に移動し続けると、トリガー３の遠位部は、当接アーム５が完全に凹部４０と係合し、キャッチ３４が、プランジャーロッドドライバー１が遠位に前方に移動することを防ぐ遠位ストッパとして作動する切り欠き５０内で固定するまで、下方に旋回し続けるであろう。プランジャーロッドドライバー１のリセットの間、ばね２によって作用される軸方向の力は、打ち勝たれ、ばねは、チャージされた状態に圧縮される。針覆い体１６は、注射部位に対してもはや押されず、注射器は分解されるため、ボタンブロッカー２６の遠位端に作用される近位方向における軸方向の力は存在しない。これは、ばね４３が、ボタンブロッカーを解放位置からブロック位置に付勢し、移動させることを許容する。トリガー３は、ばね７によって発生される捩じり力によって、軸Ｐの周りで旋回するため、トリガー３の近位端は、再び外側ハウジング面１２０上に角度Ａで持ち上げられる。これは、支持面４２および３１が互いに接触することを許容し、上記に記載され、図４，５ａに図示された安全上の構成をリセットする。
【００３１】
最後に、本発明に従った薬剤注入装置が、既に知られている従来技術の装置を超えるいくつかの利点を有することが理解される。装置が完全に機械的な設計を有するという事実のために、信頼性は、バッテリ等に依存することなく、全ての時点において確保され得る。トリガー機構は、駆動機構が、装置自身のフロントハウジングおよび針シールド取り除き機を用いることにより再装填されると同時に、簡単かつ確実な方法によってリセットされ得る。針覆い体前部は、第４の付勢部材により付勢され、針が決して患者に視認されることがないように、針を覆っている。また、貫通深さは、非常に簡単でユーザフレンドリーな方法で設定され得る。グリップとして針シールド覆い体を用いることによって、力が弱いユーザ、および／または、同等の人にも、これを簡単に行なうことができるであろう。装置は、再使用可能であって、ユーザは、簡単な方法で、新しい充填済みのシリンジを追加するために、空のシリンジを交換することができる。装置は、種々な貫通深さを許容し、薬剤の分量のセッティングは、必要な深さがセットされるまで下方および上方にセットされ得る。
【００３２】
上記のおよび図面に記載された実施形態は、本発明の非限定的な例としてのみ見なされ、それらは、クレームの範囲内の多くの方法で修正され得ると理解される。本出願は、したがって、その一般的な原理を用いて、本発明のいくつかの変形、使用または適応をカバーすることが意図される。さらに、本出願は、本発明が属する技術における公知または慣行の実施内に入るような、本開示からの逸脱をカバーすることが意図される。
【図１ａ】
0006486347.tif 000002
【図１ｂ】
0006486347.tif 000003
【図２】
0006486347.tif 000004
【図３】
0006486347.tif 000005
【図４】
0006486347.tif 000006
【図５ａ】
0006486347.tif 000007
【図５ｂ】
0006486347.tif 000008
【図５ｃ】
0006486347.tif 000009
【図６】
0006486347.tif 000010